(57)【要約】【課題】本発明は、光コネクタプラグに関し、従来の光コネクタプラグにおいてコネクタプラグから一度引き抜いた光ファイバを再度、前記コネクタプラグに不正に挿着できてしまうことが課題であって、それを解決することである。【解決手段】光コネクタプラグの挿抜方向に沿って筒状プラグ本体に光ファイバ用の接続用貫通孔と、光ファイバの心線を相手方に光接続させるための保持用部材であるフェルールとが設けられてなる光コネクタプラグにおいて、前記接続用貫通孔の孔軸の位置と、前記フェルールの孔軸の位置とが、少なくとも前記挿抜方向で同一直線上に無くオフセットされ配置されている光コネクタプラグ１とするものである。【選択図】図１
2013167735.tif 000002
【特許請求の範囲】
【請求項１】
光コネクタプラグの挿抜方向に沿って筒状プラグ本体に光ファイバ用の接続用貫通孔と、光ファイバの心線を相手方に光接続させるための保持用部材であるフェルールとが設けられてなる光コネクタプラグにおいて、
前記接続用貫通孔の孔軸の位置と、
前記フェルールの孔軸の位置とが、
少なくとも前記挿抜方向で同一直線上に無くオフセットされ配置されていること、
を特徴とする光コネクタプラグ。    
【請求項２】
接続用貫通孔の孔軸の位置とフェルールの孔軸の位置とが、左右方向または上下方向においてオフセットされていること、
を特徴とする請求項１に記載の光コネクタプラグ。
【請求項３】
接続用貫通孔の孔軸の位置とフェルールの孔軸の位置とが、交差するように配置されていること、
を特徴とする請求項１に記載の光コネクタプラグ。
【発明の詳細な説明】
【技術分野】
【０００１】
本発明は、光通信におけるハーネスの光コネクタプラグに係り、詳しくは、光コネクタの嵌合後に、光ファイバが光コネクタプラグから一度引き抜かれた場合には、光ファイバの再挿入を防止するようにした光コネクタプラグに関するものである。
【背景技術】
【０００２】
従来、例えば、医療機器などにおいては衛生上の理由として嵌合・抜去が可能なコネクタプラグと相手方コネクタとにおいて、前記コネクタプラグが嵌合後に前記相手方コネクタから引き抜かれた後は、再度、このコネクタプラグが相手方コネクタに嵌合させることができないようにするとともに、相手方コネクタに不要な部材を残さないようにするコネクタプラグが知られている（特許文献１，２参照）。
【先行技術文献】
【特許文献】
【０００３】
【特許文献１】特開２００９−９９４５９号公報
【特許文献２】特開２００９−１８７８４６号公報
【発明の概要】
【発明が解決しようとする課題】
【０００４】
かかる従来のコネクタプラグの例では、相手方コネクタに対して前記コネクタプラグ自身が嵌合できないように工夫したものである。しかしながら、例えば、遊戯具においては光ファイバを強制的に前記光コネクタプラグから引き抜いて、替わりに予め用意した不正用の光ファイバを前記光コネクタプラグに挿入して、不正行為を働くことがある。このような場合には、相手方コネクタに対する前記コネクタプラグ自体の再利用防止対策では対応できないものである。本発明に係る光コネクタプラグは、このような課題を解決するために提案されたものである。
【課題を解決するための手段】
【０００５】
本発明に係る光コネクタプラグの上記課題を解決して目的を達成するための要旨は、光コネクタプラグの挿抜方向に沿って筒状プラグ本体に光ファイバ用の接続用貫通孔と、光ファイバの心線を相手方に光接続させるための保持用部材であるフェルールとが設けられてなる光コネクタプラグにおいて、前記接続用貫通孔の孔軸の位置と、前記フェルールの孔軸の位置とが、少なくとも前記挿抜方向で同一直線上に無くオフセットされ配置されていることである。
【０００６】
前記接続用貫通孔の孔軸の位置とフェルールの孔軸の位置とが、左右方向または上下方向においてオフセットされていることである。
また、前記接続用貫通孔の孔軸の位置とフェルールの孔軸の位置とが、交差するように配置されていることを含むものである。
【発明の効果】
【０００７】
本発明の光コネクタプラグによれば、光コネクタプラグにおける光ファイバを保持する接続用貫通孔の孔軸ａと、心線を保持するフェルールの孔軸ｂとが、同一直線上に無く、オフセットされているので、一度、光コネクタプラグ１に光ファイバがセットされた状態で光コネクタ用アダプタ２に挿着された後に、前記光コネクタプラグから光ファイバを無理に引き抜いた後は、再び光ファイバを前記光コネクタプラグに挿着しても、光軸が一致することが無く、不正な操作を防止できると言う優れた効果を奏するものである。
【図面の簡単な説明】
【０００８】
【図１】本発明に係る光コネクタプラグ１の使用状態と、光ファイバ３を強制的にプラグハウジングから抜いて、再びプラグ本体１ａに光ファイバ３を挿入しても光接続できないこと状態とを順次示す説明用断面図である。
【図２】同本発明の光コネクタプラグ１の孔軸が左右方向において、一致している場合の説明図（Ａ）と、一致していない場合の説明図（Ｂ）、交差する場合の説明図（Ｃ）とである。
【発明を実施するための形態】
【０００９】
本発明に係る光コネクタプラグ１は、図１に示すように、光ファイバ３の孔軸とフェルールの孔軸とをオフセットさせているものである。
【実施例１】
【００１０】
図１に示すように、光コネクタプラグ１は、その挿抜方向に沿って筒状のプラグ本体１ａに光ファイバ３用の接続用貫通孔１ｂと、光ファイバ３の心線３ａを相手方光コネクタ用アダプタ２に光接続させるための保持用部材であるフェルール１ｃとが設けられてなる。
【００１１】
そして、図１に示すように、前記接続用貫通孔１ｂの孔軸ａの位置と、前記フェルール１ｃの孔軸ｂの位置とが、前記挿抜方向に平行であるとともに上下方向の位置においてオフセットさせてずれて配置されている。即ち、孔軸ａ，ｂが同一の直線上（軸線上）に無いものである。
【００１２】
この場合、図２（Ａ）に示すように、平面視して、左右方向においては前記孔軸ａ，ｂとが一致している場合と、図２（Ｂ）に示すように、左右方向においてオフセットされ一致していない場合とがある。
【００１３】
更に、図２（Ｃ）に示すように、孔軸ａ，ｂが挿抜方向に平行でなく、上下面内において、左右面内において、または傾斜面内において、交差するように配置すれば、なおのこと不正行為中において、前記光ファイバ３を正確に且つ迅速に光接続させることが困難となる。
【００１４】
前記接続用貫通孔１ｂとフェルール１ｃとの孔軸ａ，ｂが互いにオフセットされているので、接続用貫通孔１ｂに光ファイバ３を挿着する際には、前記接続用貫通孔１ｂを通過した心線３ａの先端部を操作用孔１ｄの上から操作部材（図示せず）で押さえるようにして案内し、心線３ａの先端部をフェルール１ｃの孔に導きながら、光ファイバ３を挿着する。前記光ファイバ３は、圧接部材や接着剤などで接続用貫通孔１ｂから抜けないように固定される。
【００１５】
このような光コネクタプラグ１を形成すれば、図１の上段の図に示すように、光コネクタ用アダプタ等に嵌合し固定して、光接続を受光（発光）素子（若しくは相手方のフェルール等）４との間で行うことができる。
【００１６】
図１の上段の図に示すように、オフセットされた光コネクタプラグ１のフェルール１ｃの孔軸ｂが、光コネクタ用アダプタ側の受光（発光）素子４の光軸と一致して、光接続がなされる。
【００１７】
図１の中段の図に示すように、不正行為により光ファイバ３を光コネクタプラグ１から無理に引き抜いて、図１の下段の図に示すように、遊戯具などにおいて不正行為をするための光ファイバ３を挿入することがある。しかしなが、操作用孔１ｄに前記光ファイバ３の心線３ａが到達すると、当該操作用孔１ｄを形成する右側の側壁に心線３ａの先端が衝突する（図中に示す衝突部２）。
【００１８】
こうして、孔軸ａに対して孔軸ｂがオフセットされたフェルール１ｃの孔に心線３ａ先端部を挿入することはできない。よって、光接続が不可能であり、不正行為を行うことが出来ないものである。
【００１９】
前記心線３ａの先端部に対して直接操作しようにも、光コネクタプラグ１は嵌合相手方の光コネクタ用アダプタ、モジュール、リンク等に固定されて、操作孔１ｄを外部に出すことが出来ないので、心線３ａの先端部をフェルール１ｃに誘導できないものである。
【００２０】
こうして、光コネクタプラグ１において、接続用貫通孔１ｂとフェルール１ｃの孔軸ａ，ｂが互いにオフセットされたことで、例えば、遊戯具の不正な操作を確実に防止できるものである。
【産業上の利用可能性】
【００２１】
本発明に係る光コネクタプラグ１は、光接続を行う遊戯具に限らず、例えば衛生上で使い回しを禁止する医療機器等にも広く適用できるものである。
【符号の説明】
【００２２】
１          光コネクタプラグ、        １ａ          プラグ本体、
１ｂ        接続用貫通孔、            １ｃ          フェルール、
１ｄ        操作用孔、
２          衝突部、
３          光ファイバ、
３ａ        心線、
４          受光（発光）素子（フェルール）。
【図１】
2013167735.tif 000003
【図２】
2013167735.tif 000004